(57)【特許請求の範囲】
【請求項１】
キャビネット外壁より外側に位置する外側本体部と、キャビネット外壁より内側に位置する内側本体部とを備えた本体部と、外側本体部を覆うルーバーカバーとからなり、
該ルーバーカバーは、外側に突出した水平方向の膨出部と、内側に突出した水平方向の副膨出部と、それらの間に形成されたルーバー換気孔とを備え、
該内側本体部は、内部に、フィルター収納部を備え、
該内側本体部は、周縁に、該フィルター収納部の前面側に該フィルター収納部に収納されたフィルターと該副膨出部とが接触しない隙間部を形成するための延設部を備え、
該延設部のうち、該内側本体部の下部に形成される延設部を、キャビネット外壁に向けて下向きに傾斜させた傾斜面とするとともに、
該外側本体部の下部に、前記隙間部から流下した水を一時的に貯めるタンク部を形成したことを特徴とする電気機器収納キャビネット用ルーバー。
【請求項２】
タンク部の底面を中央に向けて傾斜させ、その下端部に水抜き孔を形成したことを特徴とする請求項１記載の電気機器収納キャビネット用ルーバー。
【発明の詳細な説明】
【技術分野】
【０００１】
本発明は、電気機器収納キャビネットのための防水構造を備えたルーバーに関するものである。
【背景技術】
【０００２】
電気機器収納キャビネットには、内部で発生した熱を外部に逃がすためのルーバーが設けられている。その一例は特許文献１に示すとおりであるが、このルーバーは高度の防水性を備えたものではない。しかし電気機器収納キャビネットの種類や設置場所によっては、台風襲来時における激しい水の吹き上げや、厨房に設置した場合における洗浄水などの水の暴噴流に対しても、内部に水が浸入しない構造であることが求められている。そこでこの種のキャビネットに設けられるルーバーは、図５に示すように、水の暴噴流を受けてルーバー換気孔１から水が内側に浸入した場合にも、水は内部に設置された防塵用のフィルター２に当たって滴下し、下部の水抜き孔３から排水される構造となっていた。
【０００３】
しかしこのような従来の構造では、水抜き孔３を十分に大きくすると水抜き孔３からも水が吹き込み易くなるため、吹き込んだ水がフィルター２に染み込み、フィルターケース４からオーバーフローしてキャビネット内部に入るおそれがあった。また吹き込みを防止するために水抜き孔３を小さくすると、ルーバー換気孔１から内部に浸入した水の排出が追いつかず、フィルター２に水が染み込んで、同様にキャビネット内部に入るおそれがあった。
【特許文献１】特開２０００−２９４９６６号公報
【発明の開示】
【発明が解決しようとする課題】
【０００４】
本発明は上記した従来の問題点を解決し、水の暴噴流を受けてルーバー換気孔から水が浸入した場合にも、水がキャビネット内部に入ることを防止できる電気機器収納キャビネット用ルーバーを提供するためになされたものである。
【課題を解決するための手段】
【０００５】
上記の課題を解決するためになされた本発明の電気機器収納キャビネット用ルーバーは、キャビネット外壁より外側に位置する外側本体部と、キャビネット外壁より内側に位置する内側本体部とを備えた本体部と、外側本体部を覆うルーバーカバーとからなり、該ルーバーカバーは、外側に突出した水平方向の膨出部と、内側に突出した水平方向の副膨出部と、それらの間に形成されたルーバー換気孔とを備え、該内側本体部は、内部に、フィルター収納部を備え、該内側本体部は、周縁に、該フィルター収納部の前面側に該フィルター収納部に収納されたフィルターと該副膨出部とが接触しない隙間部を形成するための延設部を備え、該延設部のうち、該内側本体部の下部に形成される延設部を、キャビネット外壁に向けて下向きに傾斜させた傾斜面とするとともに、該外側本体部の下部に、前記隙間部から流下した水を一時的に貯めるタンク部を形成したことを特徴とするものである。なお、タンク部の底面を中央に向けて傾斜させ、その下端部に水抜き孔を形成することが好ましい。
【発明の効果】
【０００６】
本発明の電気機器収納キャビネット用ルーバーは、キャビネット外壁より外側に位置する外側本体部と、キャビネット外壁より内側に位置する内側本体部とを備えた本体部と、外側本体部を覆うルーバーカバーとからなり、該ルーバーカバーは、外側に突出した水平方向の膨出部と、内側に突出した水平方向の副膨出部と、それらの間に形成されたルーバー換気孔とを備え、該内側本体部は、内部に、フィルター収納部を備え、該内側本体部は、周縁に、該フィルター収納部の前面側に該フィルター収納部に収納されたフィルターと該副膨出部とが接触しない隙間部を形成するための延設部を備え、該延設部のうち、該内側本体部の下部に形成される延設部を、キャビネット外壁に向けて下向きに傾斜させた傾斜面としたので、水の暴噴流を受けてルーバー換気孔から水が内側に浸入した場合にも、水はフィルターに当たって滴下し、傾斜面に沿って流下する。このためフィルター部分に多量の水が染み込むことが防止される。しかも外側本体部の下部に前記隙間部から流下した水を一時的に貯めるタンク部を形成したので、傾斜面に沿って流下した水はこのタンク部に貯留することができる。このため、タンク部下端の水抜き孔を傾斜面に沿って流下した水が直ちに排水できるほど大きくしなくても、キャビネット内部へのオーバーフローを防止することが可能となり、水がキャビネット内部に入ることを防止できる。
【発明を実施するための最良の形態】
【０００７】
以下に本発明の好ましい実施形態を説明する。
図１は本発明の電気機器収納キャビネット用ルーバーの外観図、図２は外側から見た分解斜視図、図３は内側から見た分解斜視図、図４は断面図である。
【０００８】
１０はルーバー取付孔１１を備えたキャビネット外壁であり、１２はこのルーバー取付孔１１にパッキン１３を介在させて嵌め込まれるルーバーの本体部である。本体部１２はキャビネット外壁１０よりも外側に位置する外側本体部１４と、キャビネット外壁１０より内側に位置する内側本体部１５とを備えている。
【０００９】
図４に示されるように、外側本体部１４はルーバー取付孔１１の内径よりも外周方向に拡がった枠状体であり、その外側はルーバーカバー１６により覆われている。ルーバーカバー１６は外側に突出した水平方向の膨出部１７と、内側に突出した水平方向の副膨出部１８と、それらの間に形成されたルーバー換気孔１９とを備え、従来と同様に雨水の浸入を可及的に防止しつつ換気が可能な構造となっている。なお、外側本体部１４の側壁部２８には図２に示されるようなＬ字状の切り欠き２９が形成されており、ルーバーカバー１６の両側に設けられた突起３０をこの切り欠き２９に係合させるとともに、下端部を取付ネジ３１で固定することによって、ルーバーカバー１６は外側本体部１４に固定されている。
【００１０】
内側本体部１５はルーバー取付孔１１の内径よりも小径の凹状体であり、その内部のフィルター収納部２０にはフィルター２１が弾性線材よりなる押さえ金２２によって取り付けられている。図２、図３に示すように内側本体部１５には大型の開口２３が形成されており、フィルター２１を通じてキャビネット内が外気と通気可能となっている。
【００１１】
内側本体部１５は、内部に、フィルター収納部２０を備え、該内側本体部１５は、周縁に、該フィルター収納２０部の前面側に、該フィルター収納部２０に収納されたフィルターと該副膨出部１８とが接触しない隙間部２４を形成するための延設部を備えた、構造となっている。そして、図４に示すように、該延設部のうち、該内側本体部１５の下部に形成される延設部を、キャビネット外壁に向けて下向きに傾斜させた傾斜面２５としてある。このためルーバーから内部に浸入し副膨出部１８に沿って流下する水は直接フィルター２１に染み込むことはなく、またフィルター２１に当たった水も下方に流下するとこの傾斜面２５に沿って、速やかにキャビネット外壁１０よりも外側に流れる。
【００１２】
また本発明では、外側本体部１４の下部に前記隙間部２４から流下した水を一時的に貯めるタンク部２６を形成してある。このタンク部２６は、外側本体部１４とルーバーカバー１６との間に形成されており、図２、図３に示すようにルーバーカバー１６の下端を下方に膨らませ、タンク部２６の底面を中央に向けて傾斜させてある。このようにしてタンク部２６内の水を中央に集め、その下端部に形成した水抜き孔２７から排出できるようにしてある。なおタンク部２６の容量を大きくしておけば、この水抜き孔２７はさほど大型のものとする必要はない。台風などによる暴噴流は断続的であるため、タンク部２６内の貯留水を順次排水できるようにしておけば、タンク部２６がオーバーフローする危険性は小さいためである。
【００１３】
このように構成された本発明の電気機器収納キャビネット用ルーバーは、ルーバー換気孔１９とフィルター２１とを介してキャビネット内が外気と通気可能であり、キャビネット内で発生した熱を外部に放出する機能を有することは従来品と同様である。しかし従来品とは異なり、フィルター収納部２０に収納されたフィルター２１とルーバーの内側端との間に隙間部２４を設けたので、暴噴流により水がルーバーカバー１６よりも内側に浸入しても、従来品よりもフィルター２１に染み込みにくい。
【００１４】
また、内側本体部１５の下部に形成される延設部を、キャビネット外壁に向けて下向きに傾斜させた傾斜面２５とし、さらに外側本体部１４の下部に隙間部２４から流下した水を一時的に貯めるタンク部２６を形成したので、フィルター２１の表面に沿って流下した水は直ちに傾斜面２５からタンク部２６に流下し、フィルター２１の下部が浸水することがない。タンク部２６に溜まった水はその下端部に形成した水抜き孔２７から順次排出されるので、水抜き孔２７を傾斜面２５に沿って流下した全水量を直ちに排水できるほど大きくしなくても、キャビネット内部へのオーバーフローを防止することが可能となる。従って、水抜き孔２７からの水の吹き込みも抑制することができる。
【００１５】
なお、この実施形態では取付ネジ３１を緩めることによってルーバーカバー１６を容易に取り外すことができ、さらに押さえ金２２を外せば、キャビネットの外側からフィルター２１を交換することが可能となる。
【図面の簡単な説明】
【００１６】
【図１】本発明の実施形態を示す外観図である。
【図２】外側から見た分解斜視図である。
【図３】内側から見た分解斜視図である。
【図４】断面図である。
【図５】従来のルーバーの構造を示す断面図である。
【符号の説明】
【００１７】
１  ルーバー換気孔
２  フィルター
３  水抜き孔
４  フィルターケース
１０  キャビネット外壁
１１  ルーバー取付孔
１２  本体部
１３  パッキン
１４  外側本体部
１５  内側本体部
１６  ルーバーカバー
１７  膨出部
１８  副膨出部
１９  ルーバー換気孔
２０  フィルター収納部
２１  フィルター
２２  押さえ金
２３  開口
２４  隙間部
２５  傾斜面
２６  タンク部
２７  水抜き孔
２８  側壁部
２９  切り欠き
３０  突起
３１  取付ネジ
【図１】
0004662280.tif 000002
【図２】
0004662280.tif 000003
【図３】
0004662280.tif 000004
【図４】
0004662280.tif 000005
【図５】
0004662280.tif 000006